(57)【要約】【課題】各デッキ材の間に適切な排水間隙が存して、床サイズの変更が容易な施工を可及的少ない資材と工賃で達成し得る経済性が高いベース床の施工方法を提供すること。【解決手段】デッキ材１を、取付部２ａの両端の外側に張出部２ｂ・２ｂが、上部に突片２ｃ・２ｃが立設された固定具２を取付部材３で取り付けられたものと、上記固定具２を取り付けられないものの２種類を準備して、固定具を取り付けられたデッキ材と、固定具を取り付けられないデッキ材を、固定具を取り付けられないデッキ材の端部が、固定具を取り付けられたデッキ材の固定具の張出部へ乗って突片へ当るように並べ着けてデッキ材列Ｂを構成させ、このデッキ材列の前後の端部に連結材４を係合させて、この連結材とデッキ材の複数箇所を止着部材５で止着することにより設置面６へデッキ床Ａが設置するようにしたこと。【選択図】図１
2011247012.tif 000002
【特許請求の範囲】
【請求項１】
デッキ材を、取付部の両端の外側に張出部が、上部に突片が立設された固定具を取付部材で取り付けられたものと、上記固定具を取り付けられないものの２種類を準備して、
固定具を取り付けられたデッキ材と、固定具を取り付けられないデッキ材を、固定具を取り付けられないデッキ材の端部が、固定具を取り付けられたデッキ材の固定具の張出部ヘ乗って突片へ当るように並べ着けけることでデッキ材列を構成させ、
このデッキ材列の前後の端部に連結材を係合させて、この連結材とデッキ材の複数箇所を止着部材で止着することで設置面へデッキ床を設置する
ことを特徴とするデッキ床の施工方法。
【請求項２】
上記複数の固定具が取り付けられたデッキ材を、固定具の取り付け位置が標準とは異なるものを準備して、このデッキ材と固定具が標準位置に取り付けられたデッキ材との並列設置を可能とした
ことを特徴とする請求項１に記載のデッキ床の施工方法。
【請求項３】
上記固定具の設置面へ接する下側に滑り止め材が付設されていることを特徴とする請求項１又は請求項２に記載のデッキ床の施工方法。
【請求項４】
並列されたデッキ材の前後の端部へ連結材を被せ付けて、この連結材の両端と中間をデッキ材へ接合具で接合する際、デッキ材の複数に各々の寄せ付けを行う施工具を係合させる
ことを特徴とする請求項１〜請求項３のいずれかに記載のデッキ床の施工方法。
【請求項５】
上記固定具のデッキ材への取付部と、両側に連接された張出部との間の下側に凹条を形成して、この凹条により上記張出部を上記突片へ折り重ねられるようにした
ことを特徴とする請求項１〜請求項４のいずれかに記載のデッキ床の施工方法。
【発明の詳細な説明】
【技術分野】
【０００１】
本発明は、テラス・ベランダ・バルコニー等へデッキ床を簡単に安価に設置することができるデッキ床の施工方法に関する。
【背景技術】
【０００２】
テラス・ベランダ・バルコニー等へ設置するデッキ床として、複数の大引を並列させ、これら大引の上面へデッキ板を相互の間隙に設けるデッキ材押さえで取り付け、取り付けられたデッキ材列の側面に幕板を取付金具により取り付ける構成のものは知られている。
【０００３】
しかしながら、上記の通りデッキ材を大引へ取り付けるデッキ床は、大引がアルミニウム製等の形材であって、施工するデッキ床の長さが形材の規格サイズよりも短かったり、長かったりすると、現場で形材を切断したり、連結したりして床長さに合う大引を製作しなければならない。
また、デッキ材の大引への取り付けは、各デッキ材の側縁に凹部を形成して、凹部にデッキ材押さえを挟み込んで大引へビス止めするものであるから、使用する部品数が多くて取り付けには時間がかかる。
更に、大引に取り付けられたデッキ材列の側面には、各大引内に収まる取付金具を用いて幕板を取り付けるから、幕板の取り付けにも多くの部品を要して、取り付けに時間がかかる等の問題点を有してデッキ床を短時間で安価に設置することができない問題点を有する。
【先行技術文献】
【特許文献】
【０００４】
【特許文献１】特許第４２１５２０９号公報
【発明の概要】
【発明が解決しようとする課題】
【０００５】
本発明は前記問題点を解消し、各デッキ材間に排水間隙を有して、床サイズの変更も容易な施工を可及的少ない資材と工賃で達成することが可能なベース床の施工方法を提供することをその課題としている。
【課題を解決するための手段】
【０００６】
請求項１に係る発明は、デッキ材を、取付部の両端の外側に張出部が、上部に突片が立設された固定具を取付部材で取り付けられたものと、上記固定具を取り付けられないものの２種類を準備して、固定具を取り付けられたデッキ材と、固定具を取り付けられないデッキ材を、固定具を取り付けられないデッキ材の端部が、固定具を取り付けられたデッキ材の固定具の張出部ヘ乗って突片へ当るように並べ着けることでデッキ材列を構成させ、このデッキ材列の前後の端部に連結材を係合させて、この連結材とデッキ材の複数箇所を止着部材で止着することにより設置面へデッキ床を設置することを特徴とする。
【０００７】
請求項２に係る発明は、上記複数の固定具が取り付けられたデッキ材を、固定具の取り付け位置が標準とは異なるものを準備して、このデッキ材と固定具が標準位置に取り付けられたデッキ材との並列設置を可能としたことを特徴とする。
【０００８】
請求項３に係る発明は、上記固定具の設置面へ接する下側に滑り止め材が付設されていることを特徴とする。
【０００９】
請求項４に係る発明は、並列されたデッキ材の前後の端部へ連結材を被せ付けて、この連結材の両端と中間をデッキ材へ止着部材で止着する際、デッキ材の複数に各々の寄せ付けを行う施工具を係合させることを特徴とする。
【００１０】
請求項５に係る発明は、上記固定具のデッキ材への取付部と、両側に連接された張出部との間の下側に凹条を形成して、この凹条により上記張出部を上記突片へ折り重ねられるようにしたことを特徴とする。
【発明の効果】
【００１１】
請求項１に係る発明の効果  デッキ材の固定具が取り付けられたものと、取り付けられないものの２種類を準備して、これらデッキ材の固定具が取り付けられたものと、取り付けられないものを、固定具を取り付けられないデッキ材が、固定具を取り付けられたデッキ材の固定具に連設された張出部へ乗って、側縁を固定具の上側に立設された突片へ当たるように並列して、希望するデッキ床の長さに達したとき、デッキ材列の前後の端部に連結材を被せ付け、これら連結材の両端と中間の複数箇所を対応するデッキ材へ止着部材で止着すれば、突片で排水間隙を設定されたデッキ床を設置面上へ設置することができるもので、使用する部品数も、作業工数も大幅に減少するから、デッキ床の設置費用を従来の大引取り付け式に比べて１／５以下に低減することができる。
【００１２】
請求項２に係る発明の効果  固定具が取り付けられたデッキ材の固定具の取付位置が標準とは異なるものを準備して、固定具が標準位置に取り付けられたものと並置すれば、デッキ材列の長さをデッキ材１枚分だけ増加させることができて、デッキ床の長さの細かい調整が可能となる。
【００１３】
請求項３に係る発明の効果  固定具の設置面に接する下側に付設された滑り止め材は、デッキ材の重量で設置面と強力な摩擦係合をして、デッキ床を位置ずれを起こさないように定位置に安定させるから、設置面へボルト止め等を行う必要がない。
【００１４】
請求項４に係る発明の効果  固定具を取り付けられたデッキ材と、取り付けられないデッキ材を交互に並べて、並列されたデッキ材が希望するデッキ床の長さに達したとき、デッキ材列の前後の端部に連結材を被せ、複数個（好ましくは３個又は５個）のデッキ材に各々の寄せ付けを行う施工具を係合させれば、各デッキ材は側縁が固定具に立設された突片に当って排水間隙を規定値に揃えられるため、この状態で連結材とデッキ材の接合を行えば、多数のデッキ材が規定の排水間隙を保有して並ぶデッキ床が容易に構成される。
【００１５】
請求項５に係る発明の効果  固定具のデッキ材への取付部と、取付部の両側または一側に連設された張出部との間の下側に凹部を設けて、デッキ材を梱包する際、凹部により上記張出部を折り曲げて突片に重ねることができるから、梱包箱の容積減少を図ることができる。
【図面の簡単な説明】
【００１６】
【図１】本発明に係るデッキ床の施工方法で設置したデッキ床の平面図
【図２】同上デッキ床の変形例を示す平面図
【図３】同上デッキ床の構成に用いたデッキ材の一部分の斜視図
【図４】（ａ）（ｂ）（ｃ）は、同上デッキ床の構成に用いた固定具の３種類を示す斜視図
【図５】（ａ）（ｂ）は、同上デッキ床の構成に用いた連結材の２種類を示す斜視図
【図６】同上デッキ床の構成に際して用いた施工具の斜視図
【図７】同上デッキ床の構成に用いたデッキ材の固定具の取り付け位置が異なる２種類を示す斜視図。
【図８】（ａ）（ｂ）（ｃ）（ｄ）は、固定具が取り付けられたデッキ材と、取り付けられないデッキ材を交互に並べてデッキ床を設置面に設置する態様の説明図
【図９】（ａ）（ｂ）は、固定具が取り付けられたデッキ材と、取り付けられないデッキ材が交互に並べられたデッキ材列の複数のデッキ材を施工具の係合により寄せ付けて、前後の端部を連結材で連結する態様の説明図。
【図１０】同上固定具をデッキ材の取付部と、その両側に連設した張出部の間の下側に凹溝を形成して、張出部を折り曲げ、突片の外側へ重ねられるようにした正面図
【図１１】同上固定具の張出部を折り曲げて突片へ重ねず梱包する場合、張出部の分だけ梱包箱の容積がデッキ材よりも大きくなる説明図
【図１２】同上固定具の張出部を折り曲げて突片へ重ねることで、デッキ材の梱包容積がデッキ材に近い容積に減少する態様の説明図
【発明を実施するための形態】
【００１７】
以下に本発明に係るデッキ床の施工方法の実施形態を図面に基づいて説明する。
【００１８】
図１及び図２は本発明に係るデッキ床の施工方法で設置されたデッキ床の実施形態を示すもので、このデッキ床Ａは、デッキ材１を、取付部２ａの両端の外側に張出部２ｂ・２ｂが、上部に突片２ｃ・２ｃが立設された固定具２を取付部材３で取り付けられたものと、上記固定具２を取り付けられないものの２種類を準備して、固定具２を取り付けられたデッキ材１と、固定具２を取り付けられないデッキ材１を、固定具２を取り付けられないデッキ材１の端部が、固定具２を取り付けられたデッキ材１の固定具２の張出部２ｂヘ乗って、突片２ｃへ当るように並べ着けてデッキ材列Ｂを構成させ、このデッキ材列Ｂの前後の端部に連結材４を係合させて、この連結材４の複数箇所と対応するデッキ材１とを止着部材５で止着することで設置面６へ設置したものである。
【００１９】
上記デッキ材１は、合成樹脂とペーパースラッジ、又は合成樹脂と木粉の混合材料或いは合成樹脂単体を押出成形して、図３に示す通り長方形断面の板状に成形したものを、ベース床の幅寸法に合わせた長さに切断して使用するものであり、このデッキ材の幅は、１００〜３００ｍｍの範囲内で１２０〜１５０ｍｍが好ましく、厚さは５〜５０ｍｍの範囲内で、３０〜５０ｍｍが好ましいものであり、厚さが１０ｍｍ以下の場合は単板構造とするが、１０ｍｍ以上の厚さの場合は、中空構造として中空部１ａに補強リブ１ｂを離隔させて複数個設けることで、軽量でも必要な強度が得られるようにする。
【００２０】
上記固定具２は、図４（ａ）に示す通り、デッキ材１への取付部２ａの両端の外側に、隣り合うデッキ材１の端部が乗る張出部２ｂ・２ｂを連設され、上部にはデッキ材１を挟み込む一対の突片２ｃ・２ｃを立設された板状であって、デッキ材１の強度によるが通常はデッキ材の半分程度の幅となるように合成樹脂材料を射出成形するか、押出形成したものをデッキ材１の半分程度の幅になるように切断して形成する。そして、上記取付部２ａと張出部２ｂ・２ｂの下側には、ゴム・エラストマー・その他の滑り止め材７を積層成形し、上記滑り止め材７と設置面６の摩擦により設置面６へボルト止め等を行わなくても、デッキ床Ａの位置ずれを生じない安定した設置ができるようにする。なお、取付部２ａの両端の外側に連設される張出部２ｂ・２ｂの一方は、デッキ材列Ｂの両端に位置するデッキ材１の場合は、図１１に示す通り、デッキ材１よりも外側へ出張るから、突片２ｃと揃うように切除するか、張出部２ｂが一方にしかない端部用の固定具２を別に形成するようにする。
【００２１】
また、固定具２は、取付部２ａの両端の外側に連設された張出部２ｂ・２ｂの一方が、デッキ材１を梱包する際、上記の様にデッキ材１よりも出張って、図１１に示す通りこの出張り分だけデッキ材１よりも容積を大きくした梱包箱８を使用しないと梱包することができない。そこで、図１０に示す通り取付部２ａと張出部２ｂとの間の下側に凹溝９を形成し、この凹溝９の部分で張出部２ｂを図１０に仮想線で示す通り上方へ折り曲げて、突片２ｃの外側へ重なるようにすれば、デッキ材１を梱包する梱包箱８の容積を、図１２に示す通りデッキ材１の幅に近い程度まで小さくすることができる。
【００２２】
更に、固定具２は、その厚さを増すとことでデッキ材１の設置面４からの高さを変えることができるもので、この場合は、固定具２を図４（ｂ）に示す通り、取付部２ａが前後方向の中空部２ｄ内に複数個の補強リブ２ｅが平行に配置される形状に押出成型するか、図４（ｃ）に示す通り、取付部２ａが下方へ開口する中空部２ｄ内に前後、左右、斜め方向の補強リブ２ｅが配置される形状に射出成形するものであって、これらの場合は、デッキ材１への取付部２ａと張出部２ｂとの間の下側に凹溝９を形成し、この凹溝９によって張出部２ｂを折り曲げて突片２ｃへ重ねるようにすることはできない。
【００２３】
なお、上記固定具２はアルミニウム合金、その他の金属材料を用いて、押出成形、ダイカスト成形、鋳造成形で形成することもできるが、この場合は、デッキ材１への取付部２ａと張出部２ｂとの下側に滑り止め材７を接着で取り付けなければならないし、デッキ材１への取付部２ａと張出部２ｂ・２ｂの下側に凹溝９・９を形成して、これら凹溝９により張出部２ｂを折り曲げて突片２ｃへ重ねるようにすることが難しい。
【００２４】
上記構成の固定具２をデッキ材１へ取り付けるには、図７（ａ）に示す通りデッキ材１の裏面（下側）の前後の端部近くと中間部の下側に、一対の突片２ｃ・２ｃでデッキ材１を挟むように取付部２ａを添え付け、これら取付部２ａの中心とデッキ材１の対応部に通孔１０をあけて、この通孔１０を利用して図９（ｂ）に示す通りビス・リベット等の締め込みか、かしめ付けを行うことで離脱しないように固定具２を取り付け、固定具２が取り付けられたデッキ材１と、取り付けられないデッキ材１の２種類を準備する。しかし、このように固定具２が取り付けられたデッキ１と、取り付けられないデッキ材１の２種類を交互に並べ付けて、デッキ材列Ｂを構成させる場合は、固定具２が取り付けられたデッキ材１が最後に位置する奇数の組み合わせとなるから、デッキ材列Ｂの長さをデッキ材１の一枚分だけ増加することはできないから、このような長さの増加を必要とする場合は、固定具２の取付位置を図７（ａ）に示す標準位置に対して、図７（ｂ）に通りずらした補足用のデッキ材１を準備し、この補足用のデッキ材１を標準位置に固定具２が取り付けられたデッキ材１へ並べ着ければ、デッキ材列Ｂの長さをデッキ材１の１枚分だけ増加させることが可能となる。
【００２５】
上記連結材４は、固定具２が取り付けられたデッキ材１と、取り付けられないデッキ材を交互に並び付けてデッキ材列Ｂを構成させた後、このデッキ材列Ｂの前後の端部へ被せ付けられるように図５（ａ）に示すコ字形か、図５（ｂ）に示すＬ形に、アルミニウム合金または強度が大きい合成樹脂を押出成形したものを、デッキ床Ａの長さに合わせて切断して使用する。そして、この連結具４がコ字形の場合は、上下の横片４ａ・４ｂでデッキ材１を挟ませ、縦片４ｃでデッキ材１の端末を覆わせることで端末化粧を行わせる。そして、上側の横片４ａの両端部と中間の複数箇所と、これらに対応するデッキ材１の部位とに通孔１１をあけ、これら通孔１１を利用して、ビス・リベット等の止着部材５の締め込みか、かしめ付けを行うことで止着し、連結材４によるデッキ材列Ｂの連結を行わせる。また、Ｌ形の連結材４の場合は、図面には示してないが、横片４ａをデッキ材１の端部に重ね、縦片４ｃでデッキ材１の端末を覆わせて端末化粧をさせ、横片４ａの両端部と中間の複数箇所と、これらに対応するデッキ材１の部位とに通孔１１をあけて、止着部材５で止着することでデッキ材列Ｂの連結を行わせる。
【００２６】
上記の通りデッキ材列Ｂの前後の端部を連結させた連結材４は、その端部が露出して意匠性を損なうので、この端部には、図５（ａ）に示す通り、コ字材１２ａへ連結材４の端部を覆う化粧片１２ｂが付設された構造の化粧カバー１２を、側方から嵌め着けてコ字材１２ａの上片にあけた孔１３から、連結材４及びデッキ材１にあけられた通し孔１１へ、ねじ等の止着部材５を締め込むことで、連結材４へ取り付けてその端部化粧を行わせるようにする。
【００２７】
図６に示される施工具１４は、固定具２を取り付けられたデッキ材１と、取り付けられないデッキ材１を交互に並べ付けて構成したデッキ材列Ｂの各デッキ材１が、各々の端縁を固定具２の上側に立設された突片２ｃ・２ｃへ押し付けられて、相互の間に規定の排水間隙ｇを保持するように、上記突片２ｃを挟んで並ぶデッキ材１の３本又は５本に長さを合わせた主部１４ａの両端下側に、一対の折曲片１４ｂ・１４ｂが形成されるように鋼板のプレス加工で幅５０ｍｍ程度に成形する。そして、この施工具１４をデッキ材列Ｂの３本又は５本ずつに一方から他方へと順次に掛け変え、対象デッキ材１の寄せ付けを行わせて、排水間隙ｇを突片２ｃ・２ｃにより揃えさせることで、上記連結材４によるデッキ材列Ｂの連結を行なわせるようにする。なお、この施工具１４はアルミニウム合金又は合成樹脂の成形で形成してもよい。
【００２８】
上記デッキ材１、固定具２、連結材４、施工具１４を用いてデッキ床Ａを施工するには、設置面６の面積に応じて、必要なデッキ材列Ｂが構成されるように固定具２を取り付けられたデッキ材１と、取り付けられないデッキ材１の数を揃え、連結材４はデッキ材列Ｂに長さに合うよう切断したものを、施工具１４はデッキ材１の幅に応じて、デッキ材１の３本か、５本の寄せ付けが行われるものを準備する。
【００２９】
そして、固定具２の張出部２ｂが一方にしか連設されない端部用のデッキ材１を、図８（ａ）に示す通り、設置面６の左端側へ置き、その右側へ固定具２が取り付けられないデッキ材１を、図８（ｂ）に示す通り左端部が先のデッキ材１から右側へ出張る張出部２ｂへ乗って、左端縁を固定具２の右側の突片２ｃへ当てるようにし、次に、図８（ｃ）に示す通り、固定具２が取り付けられているデッキ材１を、左側の張出部２ｂが、先のデッキ材１の右端部の下側へ入り込み、左側の突片２ｃが先のデッキ材１の右端縁へ当たるようにする。その次には、図８（ｄ）に示す通り、固定具２が取り付けられないデッキ材１を、左端部が先のデッキ材１から右側へ出張る張出部２ｂへ乗って、左端縁が固定具２の右側の突片２ｃへ当てるようにして、このデッキ材１の右側には、図８（ｃ）に示すと同様に固定具２が取り付けられないデッキ材１を置く操作を繰り返し行えば、図９に一部分を示す通りのデッキ材列Ｂが構成される。
【００３０】
上記の通りデッキ材列Ｂが構成されたら、各デッキ材１の例えば３本ずつに左側から１組の施工具１４を図９（ａ）に通りに掛けて、これら折曲部１４ｂで３本のデッキ材１を寄せ付けさせれば、各デッキ材１は固定具２に立設された突片２ｃを挟み着けて、相互間に生じさせる排水間隙ｇを一律に揃えられるから、この状態でデッキ材列Ｂの前後の両端に連結材４・４を被せ着け、これら連結材４・４とデッキ材１の端部を止着部材５で図９（ｂ）に示す通り止着する操作を適当な間隔で行い、施工具１４を順次右側のデッキ材１へ掛け変えながら上記連結操作を行えば、構成されたデッキ材列Ｂが連結材４によって動かないように連結されて安定したデッキ床Ａの設置面６への設置が、簡単な構造の少ない部品の使用と、これに伴にう工数の低減によって、従来に比べて１／５程度のローコストで実施されることになる。
【００３１】
また、設置面６の面積によって、デッキ床Ａの長さを図１に示す場合よりも、図２に示す場合のようにデッキ材１の１枚分だけ増したい場合は、固定具２の取付位置が図７（ａ）に示す標準位置とは、図７（ｂ）に示す通り相違している補足用のデッキ材１を、標準のデッキ材１に並べ着ければ、図１に示す場合よりもデッキ材１枚分だけ長さが増したデッキ材列Ｂを構成させることができる。
【産業上の利用可能性】
【００３２】
テラス・ベランダ・バルコニー等へデッキ床を簡単に安価に施工するのに有効に利用することができる。
【符号の説明】
【００３３】
１  デッキ材
２  固定具
２ａ  デッキ材への取付部
２ｂ・２ｂ  張出部
２ｃ・２ｃ  突片
３  取付部材
４  連結材
５  止着部材
６  設置面
【図１】
2011247012.tif 000003
【図２】
2011247012.tif 000004
【図３】
2011247012.tif 000005
【図４】
2011247012.tif 000006
【図５】
2011247012.tif 000007
【図６】
2011247012.tif 000008
【図７】
2011247012.tif 000009
【図８】
2011247012.tif 000010
【図９】
2011247012.tif 000011
【図１０】
2011247012.tif 000012
【図１１】
2011247012.tif 000013
【図１２】
2011247012.tif 000014